(57)【要約】      （修正有）【課題】太陽光を電源に発光させ電池交換をなくし、加えて暗がりのみで発光し電気の消耗を抑えるとともに、装着者を幻想的に演出するソーラーイヤリングを提供する。【解決手段】枠３、枠に固定されたソーラーパネル４及びソーラーパネルで発電された電気を電源として発光する発光部５とを有する飾部２と、飾部を耳に係止する係止部９と、からなる。また、飾部に、ソーラーパネルで発電した電気を蓄電し蓄電した電気で発光部を発光させるバッテリ６と、明暗を感知し所定の暗さでバッテリと発光部の通電をオンし所定の明るさで通電をオフする光センサユニット７を備える。【選択図】図１
0003197513.tif 000002
【実用新案登録請求の範囲】
【請求項１】
枠、前記枠に固定されたソーラーパネル及び前記ソーラーパネルで発電された電気を電源として発光する発光部とからなる飾部と、
前記飾部を耳に係止する係止部と、
からなることを特徴とするソーラーイヤリング。
【請求項２】
前記飾部に、前記ソーラーパネルで発電した電気を蓄電し蓄電した電気で前記発光部を発光させるバッテリと、明暗を感知し所定の暗さで前記バッテリと前記発光部の通電をオンし所定の明るさで前記バッテリと前記発光部の通電をオフする光センサユニットを備えることを特徴とする請求項１に記載のソーラーイヤリング。
【考案の詳細な説明】
【技術分野】
【０００１】
本考案は、ソーラーパネル発電の電気で発光する発光部を備えたソーラーイヤリングに関する。
【背景技術】
【０００２】
イヤリングが発光する技術としては、特許文献１などが開示されている。特許文献１の発明は、ボタン・イヤリング・ブレスレットなどの装飾品を発光素子からの光を導き自発光装飾品とする事により生活に彩りをもたらす。また自発光ファイバーとして自転車などに応用する事により交通安全にも資するものであって、屈折率の異なる物質を透明プラスチックに添加又は透明プラスチックが結晶性の場合は結晶化させて、ＬＥＤなどから入射した光を散乱させることにより、自発光する装飾品、また波長の異なったＬＥＤ光をこの装飾品を導入する事により光混合させ、入射光とは異なった色調の光を自発光させることにより装飾効果を上げるというものである。
【０００３】
しかしながら、特許文献１の発明は、ボタン電池を使用しているため電池交換が必要で、また、使用しない時にはバネでスイッチ・オフになり、耳に装着するとネジの圧力により電極が接触し、LEDが発光するといもので、昼間使用する場合には、無駄に電池を消費してしまう問題があった。
【先行技術文献】
【特許文献】
【０００４】
【特許文献１】特開２００１−２４３８０２号公報
【考案の概要】
【考案が解決しようとする課題】
【０００５】
そこで、本考案は、太陽光を電源に発光させ電池交換をなくし、加えて暗がりのみで発光し電気の消耗を抑えるとともに、装着者を幻想的に演出するソーラーイヤリングを提供することを目的とする。
【課題を解決するための手段】
【０００６】
本考案は、上記の課題を解決するために、
（１）
枠、前記枠に固定されたソーラーパネル及び前記ソーラーパネルで発電された電気を電源として発光する発光部とからなる飾部と、
前記飾部を耳に係止する係止部と、
からなることを特徴とするソーラーイヤリング。
（２）
前記飾部に、前記ソーラーパネルで発電した電気を蓄電し蓄電した電気で前記発光部を発光させるバッテリと、明暗を感知し所定の暗さで前記バッテリと前記発光部の通電をオンし所定の明るさで前記バッテリと前記発光部の通電をオフする光センサユニットを備えることを特徴とする（１）に記載のソーラーイヤリング。
とした。
【考案の効果】
【０００７】
本考案は、上記構成であるので、暗がりでも、耳に装着していれば、宝石より強い光を放ち、カラフルな光で魅力的な雰囲気を作り出すことができる。女性が、ソーラーイヤリングを装着し、カラフルなＬＥＤを点灯、点滅させることにより、夜間歩行等も幻想的で魅力的になるとともに、危険防止効果化があり、夜間歩行等も安全に行うことができる。
【図面の簡単な説明】
【０００８】
【図１】本考案であるソーラーイヤリングの正面図である。
【図２】本考案であるソーラーイヤリングの右側面図である。
【図３】本考案であるソーラーイヤリングを装着したときの模式図である。
【考案を実施するための形態】
【０００９】
以下、添付の図面を参照し、本考案の実施の形態の一例について詳細に説明する。なお、本考案は下記実施例に限定されるものではない。
【実施例１】
【００１０】
図１〜図３に示すように、本考案であるソーラーイヤリング１は、飾部２と、係止部９と、飾部２と係止部９とを揺動可能に連結するリング８とからなる。
【００１１】
飾部２は、枠３と、ソーラーパネル４と、発光部５と、必要に応じてバッテリ６と、光センサユニット７と、からなる。
【００１２】
枠３は、ソーラーパネル４を収納し、リング８に係止される輪３ａを備える。枠３の形状は、図示した他、キャラクターなど任意の形状とすることができる。
【００１３】
ソーラーパネル４は、太陽光、室内光などの光を受けて発電する素子である。枠３に収納され、枠３の形状に合わせた形状としてもよいし、枠３の内部に固定されれば、形状は特に限定されない。
【００１４】
発光部５は、ソーラーパネル４で発電された電気を電源として発光する発光体で、例えば、ＬＥＤが例示できる。ＬＥＤであれば省電力で、また多種多様の色を表現できる。発光部５は、１つでも、多数を組み合わせてもよい。発光部５で模様、図柄を表現してもよい。また、連続点灯、点滅など発光方法は問わない。
【００１５】
発光部５を備えることで、夜間でも、イヤリングを輝かせ、幻想的な雰囲気を醸し出すとともに、夜間歩行においては、車両への存在アピールになり、交通事故防止に寄与し、安全通行を助ける。
【００１６】
バッテリ６は、ソーラーパネル４で発電した電気を蓄電し、蓄電した電気で発光部５を発光させる。
【００１７】
光センサユニット７は、バッテリ６と発光部５を接続するリード線７ａと、リード線７ａの接続、遮断するスイッチの制御信号を発信し、環境の明暗を感知し、所定の暗さでバッテリ６と発光部５の通電をオンし、所定の明かりでバッテリ６と発光部５の通電をオフする光センサ７ｂとかならなる。光センサユニット７を備えることで、発光部５が、自動点灯或いは点滅し、さらに自動消灯が可能になり、点灯、点滅及び消灯の操作が必要なく、さらに電源の省エネになる。
【００１８】
係止部９は、ソーラーイヤリング１を耳１０に装着する場合に、耳たぶの裏側に位置し、フレーム９ｄに緩衝材９ｅを備えた受け部９ａと、耳たぶの表側を押圧する押さえ１０ｂと、押さえ９ｂを多段階的に回動させる回動部９ｃとかなる。なお、係止部９は、ここで図示した他、他の形状、構造であっても、耳に係止できるものであれば、限定されない。例えば、耳１０を貫通するピアス方式であってもよい。
【符号の説明】
【００１９】
１      ソーラーイヤリング
２      飾部
３      枠
３ａ    輪
４      ソーラーパネル
５      発光部
６      バッテリ
７      光センサユニット
８      リング
９      係止部
９ａ    受け部
９ｂ    押さえ
９ｃ    回動部
１０    耳
【図１】
0003197513.tif 000003
【図２】
0003197513.tif 000004
【図３】
0003197513.tif 000005